(57)【要約】【課題】チャンバー部を設けても筐体の寸法を長くすること無く、居室空間に均等に供給できることを可能とする換気装置を提供する。【解決手段】換気装置は、第１の側面に設けられた室外側給気ダクト接続口と、第２の側面に設けられた複数の室内側給気ダクト接続口と、舌部を有するスクロールケーシングと遠心ファンとモータとを有し室外側給気ダクト接続口に吸込口を対応させ室内側給気ダクト接続口に吐出口を対応させた送風機ユニットと、給気分岐用部材と、を備える。そして、吐出口は、天面に寄せて配置され、吐出口に設けられた舌部は、吐出口における底面側に配置され、給気分岐用部材は、舌部から複数の室内側給気ダクト接続口における底面側端部に空気を導く傾斜板と、吐出口から吹き出された空気を第３の側面と第４の側面とを結ぶ左右方向に分割する仕切板とを備える。【選択図】図２
2017166805.tif 000002
【特許請求の範囲】
【請求項１】
互いに対向する、第１の側面及び第２の側面、第３の側面及び第４の側面、天面及び底面を備えた直方体形状の筐体と、
前記第１の側面に設けられた室外側給気ダクト接続口と、
前記第２の側面に設けられた複数の室内側給気ダクト接続口と、
舌部を有するスクロールケーシングと遠心ファンとモータとを有し前記室外側給気ダクト接続口に吸込口を対応させ前記室内側給気ダクト接続口に吐出口を対応させた送風機ユニットと、
前記送風機ユニットと前記室内側給気ダクト接続口との間に給気分岐用部材と、を備え、
前記吐出口は、
前記天面に寄せて配置され、
前記吐出口に設けられた前記舌部は、
前記吐出口における前記底面側に配置され、
前記給気分岐用部材は、
前記舌部から複数の前記室内側給気ダクト接続口における前記底面側端部に空気を導く傾斜板と、
前記吐出口から吹き出された空気を前記第３の側面と第４の側面とを結ぶ左右方向に分割する仕切板と、を備えた換気装置。
【請求項２】
前記遠心ファンを複数個設けた請求項１記載の換気装置。
【請求項３】
前記仕切板は、
一端を前記複数個設けられた送風機ユニットの各吐出口の中央部に配置し、
他端を前記第２の側面を等分する位置に配置した請求項２に記載の換気装置。
【請求項４】
前記室内側給気ダクト接続口と前記吸込口との間にフィルター部を設けた請求項２または３に記載の換気装置。
【発明の詳細な説明】
【技術分野】
【０００１】
本発明は、天井裏空間に設置され、外気を複数の室内に供給する換気装置に関する。
【背景技術】
【０００２】
従来、この種の外気を複数の室内に供給する換気装置は、複数の室内給気ダクト接続口を備えたものが知られている（例えば、特許文献１参照）。
【０００３】
以下、そのような換気装置について、図６を参照しながら説明する。
【０００４】
従来の換気装置は、図６に示すように、複数の室内給気ダクト接続口１０１が設けられた給気ダクト接続口取付面１０２と、複数の室内給気ダクト接続口１０１と連通する開口が設けられた開口面１０３とを有するように断熱材で形成される。
【０００５】
また従来の換気装置は、本体に収容される給気分岐用箱体１０４と、開口面１０３の開口から給気分岐用箱体１０４へ流入して複数の室内給気ダクト接続口１０１から流出する気流を形成する給気送風機１０５と、給気送風機１０５を収容する送風機収容空間を有する給気送風機用ケーシング１０６とを含む。
【０００６】
さらに従来の換気装置は、開口面１０３の開口から給気分岐用箱体１０４へ挿入されることにより送風機収容空間と複数の室内給気ダクト接続口１０１とが連通する給気送風機ユニット１０７を備えている。
【先行技術文献】
【特許文献】
【０００７】
【特許文献１】特許第５４７８５５０号公報
【発明の概要】
【発明が解決しようとする課題】
【０００８】
このような従来の換気装置においては、複数の給気ダクト接続口に供給される給気空気の風量の偏りを防止するために、給気分岐用箱体に室内側への給気空気の流れを整流または調圧するチャンバー部を設ける必要がある。しかもチャンバー部は、空気の流れ方向に十分な距離（空間）を設けないと、整流又は調圧効果を発揮できない。従って、本体の空気の流れ方向に寸法が長くなるという課題を有していた。
【０００９】
そこで本発明は、上記従来の課題を解決するものであり、複数の給気ダクト接続口を有した換気装置において、長さの短いチャンバー部であっても居室空間に均等に空気を供給できる換気装置を提供することを目的とする。
【課題を解決するための手段】
【００１０】
そして、この目的を達成するために、本発明に係る換気装置は、互いに対向する、第１の側面及び第２の側面、第３の側面及び第４の側面、天面及び底面を備えた直方体形状の筐体と、前記第１の側面に設けられた室外側給気ダクト接続口と、前記第２の側面に設けられた複数の室内側給気ダクト接続口と、舌部を有するスクロールケーシングと遠心ファンとモータとを有し前記室外側給気ダクト接続口に吸込口を対応させ前記室内側給気ダクト接続口に吐出口を対応させた送風機ユニットと、前記送風機ユニットと前記室内側給気ダクト接続口との間に給気分岐用部材と、を備え、前記吐出口は、前記天面に寄せて配置され、前記吐出口に設けられた前記舌部は、前記吐出口における前記底面側に配置され、前記給気分岐用部材は、前記舌部から複数の前記室内側給気ダクト接続口における前記底面側端部に空気を導く傾斜板と、前記吐出口から吹き出された空気を前記第３の側面と第４の側面とを結ぶ左右方向に分割する仕切板と、を備えたものであり、これにより所期の目的を達成するものである。
【発明の効果】
【００１１】
本発明によれば、長さの短いチャンバー部であっても居室空間に均等に空気を供給できることができる。
【図面の簡単な説明】
【００１２】
【図１】本発明の実施の形態１の換気装置の側面構成図
【図２】同換気装置の上方からの構成図
【図３】同換気装置の斜視図
【図４】同換気装置の給気用部材の斜視図
【図５】同換気装置の送風機ユニットの上方からの構成図
【図６】従来の換気装置の内部を示す図
【発明を実施するための形態】
【００１３】
本発明に係る換気装置は、互いに対向する、第１の側面及び第２の側面、第３の側面及び第４の側面、天面及び底面を備えた直方体形状の筐体と、前記第１の側面に設けられた室外側給気ダクト接続口と、前記第２の側面に設けられた複数の室内側給気ダクト接続口と、舌部を有するスクロールケーシングと遠心ファンとモータとを有し前記室外側給気ダクト接続口に吸込口を対応させ前記室内側給気ダクト接続口に吐出口を対応させた送風機ユニットと、前記送風機ユニットと前記室内側給気ダクト接続口との間に給気分岐用部材と、を備え、前記吐出口は、前記天面に寄せて配置され、前記吐出口に設けられた前記舌部は、前記吐出口における前記底面側に配置され、前記給気分岐用部材は、前記舌部から複数の前記室内側給気ダクト接続口における前記底面側端部に空気を導く傾斜板と、前記吐出口から吹き出された空気を前記第３の側面と第４の側面とを結ぶ左右方向に分割する仕切板と、を備えたものでありる。
【００１４】
これにより、屋外からの給気空気は、給気分岐用部材により分割され第２の側面に室内側給気ダクト接続口の開口面積に合わせて必要量導かれる。従って整流・調圧のための長いチャンバー部を設ける必要が無く、給気空気を居室空間に均等に供給できる。
【００１５】
また、遠心ファンを複数個設けた構成にしてもよい。
【００１６】
遠心ファンを複数も受けることで整流・調圧は複雑になり、さらに長いチャンバー部が必要になるが、給気分岐用部材によりチャンバー部の短縮化を図ることができる。
【００１７】
また、前記仕切板は、一端を前記複数個設けられた送風機ユニットの各吐出口の中央部に配置し、他端を前記第２の側面を等分する位置に配置した構成にしてもよい。
【００１８】
また、前記遠心ファンは両吸込口から空気を流入する、という構成にしてもよい。
【００１９】
また、前記室内側給気ダクト接続口と前記吸込口との間にフィルター部を設ける、という構成にしてもよい。
【００２０】
これにより、複数の送風機ユニットの吸込口とフィルター部で構成される吸込空間が均一の圧力空間となるので、複数の送風機ユニットの吸込の圧力損失が一定になるため、複数の送風機ユニットの動作状態が同じになる。つまり、空気量の吸込バランスが良化することになるので、吐出しバランスも良化する。結果として、複数の遠心ファンに設けられた吐出口からの風量は均一化されるため、仕切板の上流側端部は吐出口の面積に応じて配置すればよく、仕切板の配置設計が容易になる。
【００２１】
以下、本発明の実施の形態について図面を参照しながら説明する。
【００２２】
（実施の形態１）
本実施の形態１の換気装置は、図１〜５に示すように、例えば一軒家の天井１裏の空間である天井裏空間２に設置される。
【００２３】
そして、換気装置は、直方体形状の筐体、すなわちフレーム３を外郭としている。フレーム３は、互いに対向する第１の側面４及び第２の側面６、互いに対向する第３の側面（図面１における奥側の面）及び第４の側面（図面１における手前側の面）、互いに対向する天面４０及び底面４１を備えている。
【００２４】
第１の側面４は、室外側給気ダクト接続口５を備える。室外側給気ダクト接続口５は、屋外に繋がる室外側ダクトが接続される。
【００２５】
第２の側面６は、室外側給気ダクト接続口５と連通する複数の室内側給気ダクト接続口７を備える。室内側給気ダクト接続口７は、居室８内に繋がる室内側ダクトが複数接続される。
【００２６】
フレーム３の底面４１である居室８側には、略正方形の点検口９を設け、更にその下方に点検口９を覆うように例えば略正方形のパネル１０を設ける。
【００２７】
フレーム３内部であって室外側給気ダクト接続口５の下流側には、屋外から給気される空気である給気空気１１を通過させることで例えば花粉や砂塵を除去するフィルター部１２を設ける。
【００２８】
フィルター部１２は、集塵効率が９０％以上でフィルターの圧力損失が３０Ｐａ以上のフィルターが好ましい。このような性能を有することにより、フィルター部１２の下流から後述する複数の送風機ユニット１３の吸込口に至る吸込空間１３ａを均一の圧力空間とすることが可能となる。
【００２９】
フィルター部１２と複数の室内側給気ダクト接続口７との間に、フィルター部１２を通過した給気空気１１を複数の室内側給気ダクト接続口７側に送風する複数の送風機ユニット１３を設ける。
【００３０】
送風機ユニット１３は、一方に吸込口１４、他方に吐出口１５を有するスクロールケーシングであるケーシング１６内に、シロッコファン等の遠心ファン１７と、遠心ファン１７と回転可能に結合しているＡＣ（交流）やＤＣ（直流）のモータ１８とで構成される。送風機ユニット１３は、吸込口１４が室外側給気ダクト接続口５に対応し、吐出口１５が室内側給気ダクト接続口７に対応している。
【００３１】
吐出口１５は、スクロールケーシングの特性上、中心部に対して一方に偏る形状であるため、本実施の形態では、図１に示すように天面４０側に寄せて配置されている。
【００３２】
吐出口１５に設けられる舌部４２は、吐出口１５における底面４１側に配置される。
【００３３】
モータ１８は、シャフト１９が図１に示すように、給気空気１１のフレーム３への進入時の流れに対して垂直となるよう上下方向に水平に設ける。
【００３４】
モータ１８は、シャフト１９を両軸としている。モータ１８の両側面にシャフト１９が設けられ、遠心ファン１７が備えられており、すなわち複数の送風機ユニット１３を有することとなる。
【００３５】
複数の送風機ユニット１３と複数の室内側給気ダクト接続口７との間には、屋外からの給気空気１１をケーシング１６の吐出口１５から複数の室内側給気ダクト接続口７へ導くチャンバー部２０を備え、チャンバー部２０の中に給気分岐用部材２１を設ける。
【００３６】
給気分岐用部材２１は、断熱効果のある例えば発泡スチロールでチャンバー部２０の内部に接するように形成している。
【００３７】
具体的には、給気分岐用部材２１は、図４に示すように、側板２３と、傾斜板２４と、連結板２５と、仕切板３０とを備える。
【００３８】
給気分岐用部材２１には、下方に向かって傾斜した傾斜部２２を有した一対の側板２３を両端に設ける。下方には、傾斜部２２に沿って両端の側板２３間に傾斜板２４を設ける。
【００３９】
給気分岐用部材２１には、上方に側板２３間に連結板２５を設ける。そして、傾斜板２４の上端２６と連結板の一端２７との間に、２つの開口である給気分岐用部材吸込口２８を形成するための区切部２９を設ける。
【００４０】
給気分岐用部材２１は、給気分岐用部材吸込口２８とケーシング１６の吐出口１５とが対面するように配置する。
【００４１】
これにより、傾斜板２４は、舌部４２を起点として複数の室内側給気ダクト接続口７における底面４１側端部に空気を導く。
【００４２】
傾斜板２４には、吐出口１５から流出した給気空気１１を複数の室内側給気ダクト接続口７に導くように仕切板３０を設ける。
【００４３】
仕切板３０は、吐出口１５から流出した給気空気１１を、第３の側面と第４の側面とを結ぶ方向、すなわち左右方向に分割する。左右方向とは、図２における上部から下部に向かう方向である。
【００４４】
この構成により、室外側給気ダクト接続口５から流入した給気空気１１は、フィルター部１２へ流入する。そして、給気空気１１は、フィルター部１２で当該給気空気１１が含む花粉や砂塵が捕集され、すなわち清浄される。そして、給気空気１１はフレーム３内の複数の送風機ユニット１３の遠心ファン１７の吸込口１４に流入する。
【００４５】
給気空気１１は遠心ファン１７の周囲方向からケーシング１６の内側に流出する。そして給気空気１１は、ケーシング１６のスクロール部に沿って移動し、吐出口１５から流出される。
【００４６】
吐出口１５から流出した給気空気１１は、給気分岐用部材２１の側板２３と給気分岐用部材２１に設けた仕切板３０の両側面に接触しながら左右方向に分配されて複数の室内側給気ダクト接続口７の方向へ流れる。そして、給気空気１１は複数の室内側給気ダクト接続口７を通過して居室８に供給される。
【００４７】
よって、給気空気１１は、チャンバー部２０内で強制的に整流・調圧されて幅広い範囲へ行き渡りながら複数の室内側給気ダクト接続口７へ送風されることとなるので、フレーム３が短くても給気空気１１を居室８空間に均等に供給することができる。
【００４８】
また、仕切板３０の上流側の一端３１をそれぞれのケーシング１６の吐出口１５の略中央部に配設するとともに、他端３２を第２の側面６を分断するように配設する。
【００４９】
具体的には、他端３２を第２の側面６を等分すなわち３等分に分断するように配設する。
【００５０】
この構成により、吐出口１５から流出した給気空気１１は、仕切板３０により均等に複数の室内側給気ダクト接続口７に送風されることとなるので、給気空気１１を居室８空間に更に均等に供給することができる。
【００５１】
なお、遠心ファン１７を両吸込構造としてフレーム３内に配設しても良い。両吸込構造とは、両面に両吸込口３３を有するスクロール状のケーシングのことである。
【００５２】
また、フィルター部１２を備えることにより、給気空気１１は、フィルター部１２により、吸込空間１３ａが均一の圧力空間となるので、複数の送風機ユニット１３の吸込の圧力損失が一定になる。このため、複数の送風機ユニット１３の動作状態が同じになり、空気量の吸込バランスが均一になることにより送風量のバランスが均一になる。
【産業上の利用可能性】
【００５３】
本発明にかかる換気装置は、チャンバー部を設けても筐体の寸法を長くすること無く、居室空間に均等に供給できることを可能とするものであるので、住宅の天井裏空間に設置するセントラル換気ユニット等として有用である。
【符号の説明】
【００５４】
１    天井
２    天井裏空間
３    フレーム
４    第１の側面
５    室外側給気ダクト接続口
６    第２の側面
７    室内側給気ダクト接続口
８    居室
９    点検口
１０    パネル
１１    給気空気
１２    フィルター部
１３    送風機ユニット
１３ａ    吸込空間
１４    吸込口
１５    吐出口
１６    ケーシング
１７    遠心ファン
１８    モータ
１９    シャフト
２０    チャンバー部
２１    給気分岐用部材
２２    傾斜部
２３    側板
２４    傾斜板
２５    連結板
２６    上端
２７    連結板の一端
２８    給気分岐用部材吸込口
２９    区切部
３０    仕切板
３１    一端
３２    他端
３３    両吸込口
３４    羽根車出口
４０    天面
４１    底面
４２    舌部
【図１】
2017166805.tif 000003
【図２】
2017166805.tif 000004
【図３】
2017166805.tif 000005
【図４】
2017166805.tif 000006
【図５】
2017166805.tif 000007
【図６】
2017166805.tif 000008